(57)【特許請求の範囲】
【請求項１】
ヘルメットの帽体を頭部に対してズレなく支持するために、帽体内の頭部の回りに大きさが可変となるように環状をなして装着されるヘルメット用ヘッドバンドにおいて、
ヘッドバンドを形成する帯体の一端部（２０ａ）の面に併設された鋸歯状の複数の突起（２３）と、
同帯体の他端部（２０ｂ）上に固定され、対向する左右側面に形成された切欠部（２５ｄ，２５ｄ）から帯体の前記一端部（２０ａ）が挿通されるケース（２５）と、
前記ケース（２５）に内装され、中央部分が下方に撓むように湾曲形成された合成樹脂製の板体からなり、その中央底部には、前記突起（２３）に係止し得る係止爪（２８）が形成され、その中央上面には、上端が前記ケース（２５）の上面に穿設された穴部（２５ｂ）を貫通してケース（２５）の上部に突出する連結杆（２９）が形成された弾性部材（２７）と、
前記ケース（２５）の上面に設けられた断面略Ｌ字状の引上げレバー（３０）であって、その長手側がケース（２５）の上面に設けられた略コ字状の段部（２５ｅ）に囲まれて位置決めされ、その長手側に形成された嵌合溝（３２）に前記連結杆（２９）上端のフランジ部（２９ａ）が嵌合することにより前記弾性部材（２７）と連結され、その短手側に突設した抜止片（３１）がケース（２５）の前側面に形成された係止穴（２５ｃ）にケース（２５）の上下方向に移動可能に挿通係止され、弾性部材（２７）の付勢力に抗して引上げレバー（３０）の手指が掛かる突起を設けた短手側をケース（２５）の上方向に移動させることにより、前記係止爪（２８）を前記突起（２３）から離間させる方向に引き上げる引上げレバー（３０）を有した係脱機構と、
前記帯体の一端部（２０ａ）に設けられた穴（３４）に係合する係合部（３３ａ）を介して、該一端部の挿通後に取り付けられる該一端部の離脱防止用抜止部材（３３）と、
を備え、前記突起と前記係止爪との係止によって前記帯体を環状として前記一端部と前記他端部とを環状の小径方向にのみに相対移動可能とし、前記引上げレバー（３０）の操作によって前記一端部と前記他端部とを環状の大径方向に相対移動可能とすることを特徴とするヘルメット用ヘッドバンド。
【請求項２】
前記抜止部材が前記一端部を引く引手をなし、該引手の操作によって前記帯体の環状を小径に調整し得ることを特徴とする請求項１記載のヘルメット用ヘッドバンド。
【発明の詳細な説明】
【０００１】
【発明の属する技術分野】
本発明は、頭部防護のために用いられるヘルメットを頭部に固定支持するヘッドバンドにかかり、特に頭部の回りへの装着状態を調節できるヘッドバンドに関するものである。
【０００２】
【従来の技術】
一般にヘルメットは、外殻となる帽体の内壁面に沿って衝撃吸収材が設けられ、さらに衝撃吸収材の内側に装着体が設けられている。装着体は、帽体の内側にて衝撃吸収材と所定の間隔をおいて取り付けられる十字状の帯体を有したハンモックと、ハンモックに設けられて頭部の回りに装着されるヘッドバンドと、同じくハンモックに設けられた顎紐とからなる。ハンモックは、頂頭部にかかり頭部に対して帽体を浮かせるようにして支持する。ヘッドバンドは、前頭部から側頭部を介して後頭部に至って環状をなして頭部の回りに装着される。これにより、ハンモックを介して帽体および衝撃吸収材が頭部に対して非接触な状態で支持される。また、ヘッドバンドは、環状の大きさが可変でき、頭部の回りへの装着状態を調整できる。顎紐は、一般にハンモックから両側頭部を介して顎に至り、ヘルメットが頭部から脱落するのを防止する。このように、ヘッドバンドは、ヘルメットを着用する着用者の頭部の回りに合うように装着され、ヘルメットを頭部に固定支持する。
【０００３】
上記ヘッドバンドにおいて、頭部の大きさや形状に合うように環状の大きさを可変する調整構造は、環状の一部が分離され、その一端部に複数の小突起が設けられ、他端部に小突起に係合する孔部が設けられている。そして、小突起と孔部との係合位置を変えることで環状の大きさを可変する。また、別の調整構造として、分離された環状の一端部に鋸歯状の突起が複数併設され、他端部に前記突起の一つと係合する爪を有するとともに、該爪の突起との係合を解除する押しボタンを有した係脱機構が設けられたものがある。そして、一端部を他端部の係脱機構に挿通させることで突起と爪とが係合してそれ以上環状を大きくさせず、且つ、押しボタンを押すことで環状が大きくなって頭部に対して緩ませて調整を行う。
【０００４】
【発明が解決しようとする課題】
しかしながら、上述した従来のヘッドバンドでは、上記調整構造において、通常、環状が分割された部分が後頭部であるため、小突起と孔部との係合が後ろ手の操作となるので、ヘルメットを装着しながらの環状の大きさの調整が困難であるという問題があった。
【０００５】
また、上記別の調整構造においては、分割された環状の一端部を他端部の係脱機構に挿通させて環状の大きさを調整するので上記調整構造と比較すると操作性は悪くないが、押しボタンが作業中などで不意に押されてしまうとヘッドバンドが緩んでしまいヘルメットが頭部からズレて脱落するという問題がある。なお、上記別の調整構造の多くは、弾性部材で爪が突起側に押され、押しボタンを押した梃子の作用で爪が突起から離れる構成とされているため構成が複雑となってコストが嵩むという問題もある。
【０００６】
さらに、上記別の調整構造は、環状の一端部と他端部とが分離可能なので、ヘルメットを頭部から外す際に一端部と他端部とを完全に分離させてしまうことが多い。このため、次にヘルメットを使用する時の環状の大きさの調整がし難くなるという問題がある。
【０００７】
そこで本発明は、上記課題を解消するために、操作性が良く、且つ、不意に緩むことがないとともに安価な調整構造を備えたヘッドバンドを提供することを目的としている。
【０００８】
【課題を解決するための手段】
上記目的を達成するため本発明による請求項１記載のヘルメット用ヘッドバンドは、ヘルメットの帽体を頭部に対してズレなく支持するために、帽体内の頭部の回りに大きさが可変となるように環状をなして装着されるヘルメット用ヘッドバンドにおいて、ヘッドバンドを形成する帯体の一端部（２０ａ）の面に併設された鋸歯状の複数の突起（２３）と、同帯体の他端部（２０ｂ）上に固定され、対向する左右側面に形成された切欠部（２５ｄ，２５ｄ）から帯体の前記一端部（２０ａ）が挿通されるケース（２５）と、前記ケース（２５）に内装され、中央部分が下方に撓むように湾曲形成された合成樹脂製の板体からなり、その中央底部には、前記突起（２３）に係止し得る係止爪（２８）が形成され、その中央上面には、上端が前記ケース（２５）の上面に穿設された穴部（２５ｂ）を貫通してケース（２５）の上部に突出する連結杆（２９）が形成された弾性部材（２７）と、前記ケース（２５）の上面に設けられた断面略Ｌ字状の引上げレバー（３０）であって、、その長手側がケース（２５）の上面に設けられた略コ字状の段部（２５ｅ）に囲まれて位置決めされ、その長手側に形成された嵌合溝（３２）に前記連結杆（２９）上端のフランジ部（２９ａ）が嵌合することにより前記弾性部材（２７）と連結され、その短手側に突設した抜止片（３１）がケース（２５）の前側面に形成された係止穴（２５ｃ）にケース（２５）の上下方向に移動可能に挿通係止され、弾性部材（２７）の付勢力に抗して引上げレバー（３０）の手指が掛かる突起を設けた短手側をケース（２５）の上方向に移動させることにより、前記係止爪（２８）を前記突起（２３）から離間させる方向に引き上げる引上げレバー（３０）を有した係脱機構と、前記帯体の一端部（２０ａ）に設けられた穴（３４）に係合する係合部（３３ａ）を介して、該一端部の挿通後に取り付けられる該一端部の離脱防止用抜止部材（３３）と、を備えている。そして、前記突起と前記係止爪との係止によって前記帯体を環状として前記一端部と前記他端部とを環状の小径方向にのみに相対移動可能とし、前記引上げレバー（３０）の操作によって前記一端部と前記他端部とを環状の大径方向に相対移動可能とすることを特徴とする。
【０００９】
また、前記抜止部材が前記一端部を引く引手をなし、該引手の操作によって前記帯体の環状を小径に調整し得ることを特徴とする。
【００１０】
【発明の実施の形態】
以下、本発明の実施の形態を図面を参照して具体的に説明する。
先ず、本発明のヘッドバンドが採用されるヘルメットの一例を説明する。
図１は本発明のヘッドバンドが採用されるヘルメットの一例を示す側断面図、図２は同ヘルメットの底面図である。
【００１１】
図１および図２に示すように、ヘルメットは、頭部を覆う帽体１を有している。帽体１は、主に外帽部材２と、緩衝部材３と、内帽部材４とからなる。
【００１２】
外帽部材２は、帽体１の外形をなすものである。外帽部材２は、例えば硬質で軽量の合成樹脂材からなり、所定の厚さを有して略半球状に形成されている。外帽部材２の内周縁には、後述の内帽部材４や紐体１１を係止するピン５が設けられている。ピン５は、本実施の形態では、細径部分の先端に大径部分を有して、外帽部材２の左右対称位置となる前方に二箇所（５ａ）、前側方に二箇所（５ｂ）、後側方に二箇所（５ｃ）、後方に二箇所（５ｄ）の計八箇所に設けられている。
【００１３】
緩衝部材３は、前記外帽部材２の内壁に沿って配されるものである。この緩衝部材３は、例えば発泡樹脂などからなり、所定の厚さを有し、外帽部材２の内壁面に沿うように略半球状に形成されている。
【００１４】
内帽部材４は、前記外帽部材２の内側に配されるものである。この内帽部材４は、外帽部材２側に取り付けられる四つの支持アーム６を有している。各支持アーム６は、略逆Ｙ字状に形成され、二股状とされた各下端部６ａが、外帽部材２に設けられた上記各ピン５に係止される。支持アーム６の下端部６ａには、逆ダルマ型の係止穴７が形成され、この係止穴７をピン５の大径部分に挿通し、上方にスライドさせてピン５の小径部分に挿通して大径部分にて抜け止めされる。また、四つの支持アーム６のうちの二つは、各下端部６ａが、ピン５ａとピン５ｂに係止され、残りの二つは、各下端部６ａがピン５ｃとピン５ｄに係止される。ゆえに、各支持アーム６は、図２に示すように、略逆Ｙ字状の上端部６ｂが帽体１の略対角線上で対向する。そして、それぞれ対向する各支持アーム６の上端部６ｂは、支持ベルト８にて連結されている。各支持ベルト８は、外帽部材２の内部上方にてＸ字状に交差する。
【００１５】
上記帽体１には、紐体１１が取り付けられている。本実施の形態での紐体１１は、顎掛け紐１２と、後頭部掛け紐１３と、支持紐１４とからなる。
【００１６】
顎掛け紐１２は、長手状の帯紐からなり、帽体１の対向する両側部周縁にそれぞれ端部１２ａが取り付けられる。顎掛け紐１２の端部１２ａは、帽体１の外帽部材２に設けられているピン５のうちの前側方のピン５ｂに対し、取付部材１６を介して取り付けられている。取付部材１６は、板片状に形成され、ピン５ｂに係止されるダルマ型の係止穴１６ａと、顎掛け紐１２を通す通し穴１６ｂとが設けられている。この取付部材１６は、図１に示すように、ピン５ｂに対し、支持アーム６を係止する前に係止される。即ち、取付部材１６は、ピン５ｂに係止され、且つ、支持アーム６によってピン５ｂから容易に外れないようになっている。また、顎掛け紐１２の端部１２ａは、取付部材１６の通し穴１６ｂに通されて折り返し状にして縫着されている。このようにして、帽体１に取り付けられた顎掛け紐１２は、帽体１の両側部周縁から略垂下して装着者Ａの耳Ａ２の前側から顎Ａ３にかけて連続する。顎掛け紐１２には、その中途部分において、着脱可能な連結部材１７が設けられている。これにより、顎掛け紐１２は、連結部材１７を介して分離可能とされている。また、顎掛け紐１２は、その長さが調整可能とされている。
【００１７】
後頭部掛け紐１３は、長手状の帯紐からなり、上記顎掛け紐１２の耳近傍の部位に端部１３ａが固定（縫着）されている。後頭部掛け紐１３は、顎掛け紐１２に対して略鉛直にして固定され、装着者Ａの各耳Ａ２の下側を略水平に通過して後頭部Ａ４にかけて連続するように設けられている。また、後頭部掛け紐１３は、その長さが調整可能とされている。
【００１８】
支持紐１４は、後頭部掛け紐１３における装着者Ａの後頭部Ａ４の部位と、帽体１の後頭部周縁との間に介在されている。支持紐１４は、長手状の帯紐からなり、各端部１４ａが帽体１の後頭部周縁に取り付けられる。支持紐１４の各端部１４ａは、帽体１の外帽部材２に設けられているピン５のうちの後方のピン５ｄに対し、上述した取付部材１６を介してそれぞれ取り付けられている。そして、支持紐１４は、その中央部を下方に引いて略Ｖ字状とされた下端部１４ｂが、後頭部掛け紐１３の後頭部部位に取り付けられる。支持紐１４の略Ｖ字状の下端部１４ｂを後頭部掛け紐１３に取り付ける構成は、例えば、後頭部掛け紐１３に挿通係止される掛止具１８を介して掛け止められる。
【００１９】
内帽部材４には、図１および図２にて一点鎖線で示す環状のヘッドバンド２０が設けられている。ヘッドバンド２０の詳細については後述する。
【００２３】
このように構成された帽体１は、図１にて二点鎖線で示す装着者Ａの頭部に装着される。この状態にて、各支持アーム６を連結してＸ字状に交差した支持ベルト８が、装着者Ａの頭頂Ａ１に当接するとともに、ヘッドバンド２０が、装着者Ａの頭周りに沿って当接する。これにより、外帽部材２および緩衝部材３は、内帽部材４の構成によって装着者Ａの頭部に直接接触することなく浮き上がるようにして装着される。
【００２０】
以下、本発明のヘッドバンドについて説明する。
図３は本発明のヘッドバンドを示す展開図、図４は同ヘッドバンドにおける係脱機構を示す分解斜視図、図５（ａ）（ｂ）は同係脱機構の動作を示す断面図である。
【００２１】
図３に示すように、ヘッドバンド２０は、長手状の帯体を主として構成されている。ヘッドバンド２０の長辺の一方には、複数（四個）の腕部２１が延設されている。各腕部２１は、各支持アーム６の各下端部６ａ間に延設された取付片６ｃに対して取り付けられる。腕部２１には、係合爪２１ａが形成されている。一方、取付片６ｃには、図１および図２に示すように上下に連なる複数の取付穴２２が設けられている。ヘッドバンド２０は、腕部２１の係合爪２１ａを選択した取付穴２２に係合することにより、支持アーム６（内帽部材４）に取り付けられる。なお、取付穴２２を選択することにより、ヘッドバンド２０の支持アーム６に対する取り付け高さが調整できる。
【００２２】
ヘッドバンド２０をなす帯体の一端部２０ａの面には、略垂直な平坦面と斜面とを有する鋸歯状の複数の突起２３が長手方向に沿って併設されている。また、帯体の他端部２０ｂには、係脱機構２４が設けられている。
【００２３】
図４に示すように、係脱機構２４は、合成樹脂性のケース２５を有している。ケース２５は、下方が開口された箱体をなし、その開口端縁に固定ピン２５ａが形成されている。固定ピン２５ａは、帯体の他端部２０ｂに設けられた固定穴２６に挿通されるとともに、貫通した先端が溶融されて抜け止めされる。これにより、ケース２５が帯体の他端部２０ｂに固定される。
【００２４】
ケース２５内には、弾性部材２７が収容される。弾性部材２７は、中央部分が下方に撓むように湾曲形成された合成樹脂性の板体からなる。弾性部材２７の中央底面には、係止爪２８が形成されている。係止爪２８は、一側が略垂直な平坦面をなし、他側が湾曲面（あるいは傾斜面でも良い）をなし、平坦面が帯体の一端部２０ａに形成された各突起２３に係止する。また、弾性部材２７の中央上面には、上方に延設された連結杆２９が形成されている。連結杆２９の上端には、大径のフランジ部２９ａが形成されている。連結杆２９の上端は、弾性部材２７がケース２５に収容された際、ケース２５の上面に穿設された穴部２５ｂを貫通して、ケース２５の上部に突出する。上記弾性部材２７は、ケース２５を帯体の他端部２０ｂに固定する前にケース２５内に収容される。
【００２５】
ケース２５の外部には、引上げレバー３０が取り付けられる。引上げレバー３０は、断面略Ｌ字状に形成されており、短手側の先端に抜止片３１が突設され、長手側の先端に嵌合溝３２が穿設されている。抜止片３１は、略矢印状に形成され、ケース２５の前側面に形成された係止穴２５ｃに挿通係止される。これにより、引上げレバー３０の短手側が、上下方向に移動可能で、且つ、ケース２５から抜け止めされる。嵌合溝３２は、ケース２５内に収容された弾性部材２７からケース２５の上部に突出する連結杆２９のフランジ部２９ａに嵌合する。これにより、引上げレバー３０の長手側が、弾性部材２７に連結される。ゆえに、引上げレバー３０は、抜止片３１によりケース２５に対して移動可能に係止されるとともに、嵌合溝３２によって連結杆２９に嵌合連結される。上記引上げレバー３０は、ケース２５を帯体の他端部２０ｂに固定する前に、弾性部材２７の収容とともにケース２５の外部に取り付けられる。また、ケース２５に取り付けられた引上げレバー３０は、ケース２５の上面に設けられた略コ字状の段部２５ｅに囲まれて位置決めされる。
【００２５】
また、ケース２５の対向する左右側面には、それぞれ切欠部２５ｄが形成されれている。切欠部２５ｄは、ケース２５が帯体の他端部２０ｂに固定された際に帯体の一端部２０ａを挿通する長穴をなす。
【００２７】
このような構成において、図５（ａ）に示すように、帯体の一端部２０ａをケース２５の切欠部２５ｄに挿通することにより、弾性部材２７の弾性力によって係止爪２８が押圧付勢されて、帯体の一端部２０ａに形成された各突起２３に係止する。この係止により帯体が環状とされる。上記の如く、突起２３は鋸歯状に形成されており、その平坦面と、係止爪２８の平坦面とが当接することにより互いに係止する。また、突起２３の斜面と係止爪２８の湾曲面とは互いに係止せず係止爪２８が突起２３を乗り越えることが可能である。これにより、帯体の環状の大きさを小さくするように、帯体の一端部２０ａと他端部２０ｂを小径方向（図５（ａ）中の矢印１方向）にのみ相対移動させて、帯体の環状の大きさを頭部の周囲の大きさに合わせることが可能となる。ゆえに、ヘッドバンド２０は、帽体１を装着者Ａの頭部に対してズレなく支持する。
【００２８】
また、図５（ｂ）に示すように、引上げレバー３０を上方（図５（ｂ）中の矢印２方向）に引き上げることにより、連結杆２９を介して弾性部材２７の付勢力に抗して係止爪２８を突起２３から離間させる。これにより、帯体の一端部２０ａと他端部２０ｂとを環状の大径方向（図５（ｂ）中の矢印３方向）にも相対移動できるようにして、帯体の環状の大きさを頭部の周囲から緩ませることが可能となる。
【００２９】
なお、引上げレバー３０は、その短手側の抜止片３１がケース２５の係止穴２５ｃに係止されており、上記引き上げ操作に際して引き上げ量が規制される。これにより、引上げレバー３０および弾性部材２７の破損を防ぐことが可能となる。また、図４に示すように、引上げレバー３０の短手側の外面の形状を手指を添えるように湾曲形成したり、手指が掛かる突起を設けることにより、引上げレバー３０の操作を容易にできる。
【００３０】
ところで、図３に示すように、帯体の一端部２０ａには、抜止部材３３が設けられている。抜止部材３３は、ケース２５に設けられた切欠き部２５ｄがなす長穴に挿通されない大きさとされている。抜止部材３３は、帯体の一端部２０ａに設けられた穴３４に係合する係合部３３ａを介して一端部２０ａに取り付けられる。抜止部材３３を帯体の一端部２０ａに取り付けるのは、一端部２０ａを係脱機構２４に挿通した後に行う。抜止部材３３は、帯体の一端部２０ａにおける係脱機構２４（帯体の他端部２０ｂ側）からの離脱を防止する。これにより、ヘルメットを装着する際、予め帯体の一端部２０ａが係脱機構２４に挿通された状態なので装着が容易である。また、ヘッドバンド２０の環状を緩める際には、係脱機構２４からの帯体の一端部２０ａの抜けを気にせず操作することが可能である。
【００３１】
なお、抜止部材３３は、帯体の一端部２０ａを引く引手として用いられる。すなわち、引手を摘むことによって、帯体の環状の大きさを小径に調整する操作を容易に行うことが可能である。特に、係脱機構２４が後頭部に位置する際には、後ろ手の操作となるので、抜止部材３３を引手として用いることにより、ヘルメットの装着が迅速に行うようになる。
【００３２】
【発明の効果】
以上説明したように本発明によるヘッドバンドは、帯体の他端部に設けられた係脱機構として、帯体の一端部の面に併設された鋸歯状の複数の突起と係止し得るように係止爪を弾性部材によって押圧付勢し、弾性部材の付勢力に抗して係止爪を突起から離間させる方向に引き上げる引上げレバーを有している。これにより、突起と係止爪との係止によって帯体を環状として一端部と他端部とを環状の小径方向にのみに相対移動可能とし、引上げレバーの操作によって一端部と他端部とを環状の大径方向に相対移動可能とする。したがって、環状が分割された部分が後頭部であっても操作性がよい。また、引上げレバーの引上げによる操作のため、従来の押しボタンのように作業中などで不意に操作されて環状が緩むようなことがない。さらに、引上げレバーが係止爪を突起から離間させる方向に引き上げるため、従来の押しボタンを押した梃子の作用で爪が突起から離れる構成に対して構成が簡素化されるのでコストを低減することができる。
【００３３】
また、前記係脱機構は、帯体の一端部を挿通するとともに弾性部材を内装するケースを有し、弾性部材に自身の付勢力に抗する側に延出された連結杆を延設し、引上げレバーをケースに対して移動可能に係止するとともに、連結杆に嵌合連結してなる。このように構成することにより、部品点数が減少して製造コストを低減することができる。また、係止爪を突起から離間させる方向に引き上げる引上げレバーの操作を実現することができる。
【００３４】
帯体の一端部に係脱機構からの離脱を防止する抜止部材を設けたことにより、ヘルメットを頭部から外す際に一端部と他端部とを完全に分離させてしまうことがない。したがって、ヘルメットを装着する際、予め帯体の一端部が係脱機構に挿通された状態なので装着が容易である。また、帯体の環状を緩める際に、係脱機構からの帯体の一端部の抜けを気にせず操作することができる。
【００３５】
また、抜止部材が一端部を引く引手をなすように構成すれば、引手を摘むことによって、帯体の環状の大きさを小径に調整する操作を容易に行うことができる。特に、係脱機構が後頭部に位置する際に後ろ手の操作となるのが、抜止部材を引手として用いることにより、ヘルメットの装着を迅速に行うことができる。
【図面の簡単な説明】
【図１】本発明のヘッドバンドが採用されるヘルメットの一例を示す側断面図。
【図２】同ヘルメットの底面図。
【図３】本発明のヘッドバンドを示す展開図。
【図４】同ヘッドバンドにおける係脱機構を示す分解斜視図。
【図５】（ａ）（ｂ）同係脱機構の動作を示す断面図。
【符号の説明】
１…帽体、２０…ヘッドバンド、２０ａ…一端部、２０ｂ…他端部、２３…突起、２４…係脱機構、２５…ケース、２７…弾性部材、２８…係止爪、２９…連結杆、３０…引上げレバー、３３…抜止部材。
【図１】
0003592675.tif 000002
【図２】
0003592675.tif 000003
【図３】
0003592675.tif 000004
【図４】
0003592675.tif 000005
【図５】
0003592675.tif 000006